【手続補正書】
【提出日】平成19年2月27日(2007.2.27)
【手続補正１】
【補正対象書類名】明細書
【補正対象項目名】特許請求の範囲
【補正方法】変更
【補正の内容】
【特許請求の範囲】
【請求項１】  受信されたディジタル・テレビジョン放送の番組情報のディジタル信号から所望の番組のデータ・ストリーム信号を抽出するストリーム処理部と、
前記ストリーム処理部から出力されたデータ・ストリーム信号を記録すると共に、記録されたデータ・ストリーム信号を再生する記録再生部と、
前記ストリーム処理部から出力されたデータ・ストリーム信号と、前記記録再生部から出力されたデータ・ストリーム信号とから、一方を選択して出力する選択部と、
前記選択部から出力されたデータ・ストリーム信号を、映像信号、音声信号、および、データ信号に分類して復号する映像／音声復号部と、
前記ストリーム処理部から出力されたデータ・ストリーム信号から、重畳文字情報を検出する重畳文字検出部と、
前記重畳文字検出部から出力された重畳文字情報を前記重畳文字情報を含む映像信号に変換する文字復号部と、
前記映像／音声復号部から出力された映像信号に、前記文字復号部から出力された映像信号を重畳する文字重畳部と、
ディジタル・テレビジョン放送記録再生装置全体を制御する制御部と
を備え、
該制御部は、前記映像／音声復号部から出力された映像信号と前記文字復号部から出力された映像信号とを重畳した映像信号を、前記文字重畳部から出力するように制御すること
を特徴とするディジタル・テレビジョン放送記録再生装置。
【請求項２】  記録再生部は、記録処理と再生処理を同時に実施可能であり、
制御部は、前記記録再生部で記録と再生を同時実施中に、制御すること
を特徴とする請求項１に記載のディジタル・テレビジョン放送記録再生装置。
【請求項３】  記録再生部は、再生処理を実施中であり、
制御部は、前記記録再生部で再生を実施中に、制御すること
を特徴とする請求項１に記載のディジタル・テレビジョン放送記録再生装置。
【請求項４】  前記重畳文字情報が記録および再生された情報ではなく生情報であることを示す文字列を格納する文字情報蓄積部を備え、
制御部は、文字重畳部が前記映像／音声復号部からの映像信号に文字復号部からの映像信号を重畳する際には、前記文字重畳部に前記文字情報蓄積部からの文字列をさらに重畳させること
を特徴とする請求項１乃至３のいずれか１項に記載のディジタル・テレビジョン放送記録再生装置。
【請求項５】  重畳文字情報を受信時に表示させるか非表示かの表示設定を格納する重畳文字設定格納部
をさらに備え、
制御部は、前記重畳文字情報の表示について前記表示設定に基づいて制御すること
を特徴とする請求項１乃至４のいずれか１項に記載のディジタル・テレビジョン放送記録再生装置。
【請求項６】  表示設定を選択可能な操作入力部
をさらに備え、
前記操作入力部により選択され、重畳文字設定格納部に格納された前記表示設定が表示である場合、制御部は、文字重畳部に前記重畳文字情報を重畳させ、
前記操作入力部により選択され、前記重畳文字設定格納部に格納された前記表示設定が非表示である場合、前記制御部は、前記文字重畳部に前記重畳文字情報を重畳させないこと
を特徴とする請求項５に記載のディジタル・テレビジョン放送記録再生装置。
【請求項７】  文字情報蓄積部を備える場合には、重畳文字設定格納部は、前記文字情報蓄積部に格納された文字列を表示するか非表示にするかの設定についても格納すること
を特徴とする請求項６に記載のディジタル・テレビジョン放送記録再生装置。
【請求項８】  文字情報蓄積部に複数の文字列を格納する場合には、
操作入力部は、該複数の文字列から任意の文字列を選択でき、重畳文字設定格納部は、選択された文字列の設定も格納すること
を特徴とする請求項７に記載のディジタル・テレビジョン放送記録再生装置。
【請求項９】  ストリーム処理部から出力されたデータ・ストリーム信号から、字幕管理データを検出する字幕管理データ検出部と、
前記字幕管理データに基づいて表示設定を選択する表示設定選択部と
をさらに備え、
前記表示設定選択部で選択され、重畳文字設定格納部に格納された前記表示設定が表示である場合、制御部は、文字重畳部に前記重畳文字情報を重畳させ、
前記表示設定選択部で選択され、前記重畳文字設定格納部に格納された前記表示設定が非表示である場合、前記制御部は、前記文字重畳部に前記重畳文字情報を重畳させないこと
を特徴とする請求項５に記載のディジタル・テレビジョン放送記録再生装置。
【請求項１０】  記録再生部は、データ・ストリーム信号を放送の受信レートよりも高速のレートで読み出しおよび書き込みできるハード・ディスク・ドライブ装置であること
を特徴とする請求項１乃至９のいずれか１項に記載のディジタル・テレビジョン放送記録再生装置。
【請求項１１】  記録再生部の前段には、誤り訂正機能を有して伝送に用いられるデータ・ストリーム信号であるトランスポート・ストリーム（ＴＳ）信号を、誤り訂正機能を有していないプログラム・ストリーム（ＰＳ）信号に変換するＴＳ／ＰＳ変換部を備え、
前記記録再生部は、データ・ストリーム信号としてＰＳ信号を記録および再生すること
を特徴とする請求項１乃至１０のいずれか１項に記載のディジタル・テレビジョン放送記録再生装置。
【手続補正２】
【補正対象書類名】明細書
【補正対象項目名】００１３
【補正方法】変更
【補正の内容】
【００１３】
【課題を解決するための手段】
上記した目的を達成するため、本発明によるディジタル・テレビジョン放送記録再生装置は、受信されたディジタル・テレビジョン放送の番組情報のディジタル信号から所望の番組のデータ・ストリーム信号を抽出するストリーム処理部と、前記ストリーム処理部から出力されたデータ・ストリーム信号を記録すると共に、記録されたデータ・ストリーム信号を再生する記録再生部と、前記ストリーム処理部から出力されたデータ・ストリーム信号と、前記記録再生部から出力されたデータ・ストリーム信号とから、一方を選択して出力する選択部と、前記選択部から出力されたデータ・ストリーム信号を、映像信号、音声信号、および、データ信号に分類して復号する映像／音声復号部と、前記ストリーム処理部から出力されたデータ・ストリーム信号から、重畳文字情報を検出する重畳文字検出部と、前記重畳文字検出部から出力された重畳文字情報を前記重畳文字情報を含む映像信号に変換する文字復号部と、前記映像／音声復号部から出力された映像信号に、前記文字復号部から出力された映像信号を重畳する文字重畳部と、ディジタル・テレビジョン放送記録再生装置全体を制御する制御部とを備え、該制御部は、前記映像／音声復号部から出力された映像信号と前記文字復号部から出力された映像信号とを重畳した映像信号を、前記文字重畳部から出力するように制御することを特徴とする。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】０１００
【補正方法】変更
【補正の内容】
【０１００】
【発明の効果】
本発明によるディジタル・テレビジョン放送記録再生装置によれば、ストリーム処理部の生放送出力から重畳される文字を検出し、再生された映像信号にその文字を重畳させて表示装置に出力できるので、ディジタル・テレビジョン放送記録再生装置の使用者は、文字が重畳された生放送を受信した場合は動作状態にかかわらず、重畳文字情報を受信した場合にはその重畳文字が表示されるので、緊急ニュース等をリアル・タイムに知ることができる。
【手続補正１０】
【補正対象書類名】明細書
【補正対象項目名】０１０１
【補正方法】削除
【補正の内容】
【手続補正１１】
【補正対象書類名】明細書
【補正対象項目名】０１０２
【補正方法】削除
【補正の内容】
【手続補正１２】
【補正対象書類名】明細書
【補正対象項目名】０１０３
【補正方法】削除
【補正の内容】
【手続補正１３】
【補正対象書類名】明細書
【補正対象項目名】０１０４
【補正方法】削除
【補正の内容】
【手続補正１４】
【補正対象書類名】明細書
【補正対象項目名】０１０５
【補正方法】削除
【補正の内容】
【手続補正１５】
【補正対象書類名】明細書
【補正対象項目名】０１０６
【補正方法】削除
【補正の内容】